(57)【要約】【課題】給水設備に簡単に組付け可能で、微量の栄養液を注入して飲用水に保健効果を付与すること。【解決手段】内部に栄養液が収容してある注入筒と、注入筒の台座の一側と連接する加圧ポンプと、加圧ポンプ、給水設備、流量計とそれぞれ連接する継ぎ手と、少なくとも二つの貫通孔を持つ流量計主体が設けてあり、二つの貫通孔の内の一つが継ぎ手の第三経路と連接し、残る貫通孔が給水蛇口と連接し、その内部に測定ユニットが設けてある流量計と、流量計に組付け可能で、加圧ポンプと流量計の測定ユニットとに連接される演算ユニットと、を含む。【選択図】図１
0003137398.tif 000002
【実用新案登録請求の範囲】
【請求項１】
中空な胴体であり、底側に台座が設けてあり、その内部に栄養液が収容してあり、前記台座に結合穴が開設してある注入筒と、
前記注入筒の台座の一側と連接する加圧ポンプと、
少なくとも三つの開口を持つ管体であり、第一経路が前記加圧ポンプと連接し、第二経路が給水設備と連接し、第三経路が流量計と連接する継ぎ手と、
少なくとも二つの貫通孔を持つ流量計主体が設けてあり、前記二つの貫通孔の内の一つが前記継ぎ手の第三経路と連接し、残る貫通孔が給水蛇口と連接し、また、その内部に測定ユニットが設けてある流量計と、
前記流量計に組付け可能であり、前記加圧ポンプと、前記流量計の測定ユニットとに連接される演算ユニットと、を含むことを特徴とする、
給水設備用微量注入装置。
【請求項２】
前記加圧ポンプと、前記継ぎ手の第一経路との間には圧力センサーが設けてあることを特徴とする、請求項１に記載の給水設備用微量注入装置。
【請求項３】
前記流量計の内部に組み付けられた測定ユニットは、圧力測定ユニットと、水質測定ユニットと、を含むことを特徴とする、請求項１に記載の給水設備用微量注入装置。
【考案の詳細な説明】
【技術分野】
【０００１】
本考案は、給水設備用微量注入装置に係り、特に、給水設備に簡単に組付け可能であり、給水設備が給水している際に微量の栄養液を給水設備に注入することにより、飲用水に保健効果を持たせる給水設備用微量注入装置に関するものである。
【背景技術】
【０００２】
現在、飲用水の水質の清潔度を確保するために、ユーザは、逆浸透、電解、蒸留や活性炭素フィルタろ過等の浄化方法によって、水中のゴミ、細菌や化学有毒物質等をろ過して水道水や水源地からの水を浄化している。
水を浄化することで不衛な水を飲むことによる病気の発生を回避することができる。
しかしながら、逆浸透、電解、蒸留や活性炭素フィルタろ過等の方法を使用することにより、水中のゴミ、細菌や化学有毒物質などは除去されるが、人体が必要とする微量元素（例えばセレン、亜鉛、ニッケル、銅、カルシウム、マグネシウムと鉄等の鉱物質）も完全に除去されてしまう。そのため人体が必要とする微量元素を除去された水を長期間に亘って飲用すると、例えば血管の病気や骨粗鬆症などが発生し易い。
【考案の開示】
【考案が解決しようとする課題】
【０００３】
本考案の主な目的は、給水設備に簡単に組付け可能で、給水設備が給水している際に微量の栄養液を給水設備に注入することにより、飲用水に保健効果を持たせる給水設備用微量注入装置を提供することにある。
【課題を解決するための手段】
【０００４】
上記目的を達成するためになされた本願の考案は、中空な胴体であり、底側に台座が設けてあり、その内部に栄養液が収容してあり、前記台座に結合穴が開設してある注入筒と、前記注入筒の台座の一側と連接する加圧ポンプと、少なくとも三つの開口を持つ管体であり、第一経路が前記加圧ポンプと連接し、第二経路が給水設備と連接し、第三経路が流量計と連接する継ぎ手と、少なくとも二つの貫通孔を持つ流量計主体が設けてあり、前記二つの貫通孔の内の一つが前記継ぎ手の第三経路と連接し、残る貫通孔が給水蛇口と連接し、また、その内部に測定ユニットが設けてある流量計と、前記流量計に組付け可能であり、前記加圧ポンプと、前記流量計の測定ユニットとに連接される演算ユニットと、を含むことを特徴とする給水設備用微量注入装置であることを要旨としている。
【０００５】
本願の考案では、前記加圧ポンプと、前記継ぎ手の第一経路との間には圧力センサーが設けてあることを特徴とする請求項１に記載の給水設備用微量注入装置であることを要旨としている。
【０００６】
本願の考案では、前記流量計の内部に組み付けられた測定ユニットは、圧力測定ユニットと、水質測定ユニットと、を含むことを特徴とする請求項１に記載の給水設備用微量注入装置であることを要旨としている。
【考案の効果】
【０００７】
本考案の給水設備用微量注入装置によれば、給水設備に簡単に組付け可能であり、給水設備が給水している際に微量の栄養液を給水設備に注入することにより、飲用水に保健効果を持たせる効果がある。
【考案を実施するための最良の形態】
【０００８】
以下、添付図面を参照して本考案の好適な実施の形態を詳細に説明する。
【０００９】
まず、図１を参照する。本考案の給水設備用微量注入装置は、主に、注入筒１が設けてあり、前記注入筒１の台座１１は、一側に圧力センサー２が連接してあり、他側には、加圧ポンプ３、継ぎ手４、流量計５と演算ユニット９（図４参照）が順次に設けてある。
【００１０】
前記注入筒１は、中空な胴体であり、その内部に栄養液（例えば鉱物質、セレン、亜鉛、ニッケル、銅、カルシウム、マグネシウムと鉄などの微量元素、ビタミンや海洋深層水など）が収容してある。
また、前記注入筒１の底側に台座１１が設けてある。前記台座１１に結合穴１２が開設してあり、前記結合穴１２により前記台座１１を前記注入筒１に結合可能である。また、前記注入筒１と前記台座１１との対応箇所ではチップ１６とチップ検知ユニット１７とが設けてある。前記チップ１６とチップ検知ユニット１７とが感応すると、圧力センサー２と、加圧ポンプ３と、流量計５と、演算ユニット９などの要素が起動される。
また、前記台座１１の両側には圧力センサー２と加圧ポンプ３とを組付けるための貫通孔１３，１４が開設してある。また、前記注入筒１の上端には通気穴１５が開設してある。
【００１１】
前記圧力センサー２は、前記注入筒１の台座１１の一側に開設された貫通孔１３に組み付けられて、前記注入筒１の内部に収容される栄養液の圧力を測定するものである。
前記圧力センサー２には前記栄養液の圧力を表示するディスプレーが設けてある。
【００１２】
前記加圧ポンプ３は、前記注入筒１の台座１１の他側に開設された貫通孔１４に組み付けられる。前記加圧ポンプ３は、電磁スイッチでもよいし、モータポンプでもよい。
【００１３】
図２を参照する。前記継ぎ手４は、少なくとも三つの開口を持つ管体である。第一経路４１が前記加圧ポンプ３と連接し、且つ前記第一経路４１には栄養液の前記継ぎ手４に注入する圧力を増加するためのノズル４１１が設けてある。
前記加圧ポンプ３と前記第一経路４１との間には、前記加圧ポンプ３の栄養液を放出する圧力が正常であるかどうかを測定するための圧力センサー６が設けてある。
前記圧力センサー６に設けられたディスプレーにより、前記加圧ポンプ３の栄養液を放出する圧力が表示される。
また、第二経路４２が給水設備（例えば逆浸透機、水電解機、製氷機やシャワー装置など）と連接し、第三経路４３が流量計５と連接する。
【００１４】
前記流量計５は、主に、少なくとも二つの貫通孔５１１，５１２を持つ流量計主体５１が設けてある。前記貫通孔５１１が前記継ぎ手４の第三経路４３と連接し、前記貫通孔５１２が給水蛇口８と連接する。
また、その内部に圧力測定ユニット５２が設けてあり、前記圧力測定ユニット５２により、前記給水設備７からの水の圧力と、栄養液の注入圧力と、前記給水設備７からの水と栄養液とを混合した後の圧力と、を測定可能である。
また、前記流量計５の内部には水質測定ユニット５３が設けてあり、前記水質測定ユニット５３により、前記給水設備７からの水と栄養液とを混合した後の濃度を測定可能である。
【００１５】
図４を参照する。前記演算ユニット９は、前記圧力測定ユニット５２と、前記水質測定ユニット５３と、加圧ポンプ３と、に連接されて、前記圧力測定ユニット５２と前記水質測定ユニット５３との測定したデータを接収して、加圧ポンプ３を調節することにより、栄養液の放出の流量を調節する。
前記演算ユニット９は、流量計に組付けてもよいし、単独に設置してもよい。
【００１６】
次に、図１と図３を参照しながら本考案の組付方法および使用状態を詳細に説明する。
【００１７】
まず、前記注入筒１の台座１１の一側に開設された貫通孔１３を圧力センサー２に結合して、前記台座１１の他側に開設された貫通孔１４を加圧ポンプ３に結合する。
【００１８】
また、継ぎ手４の第一経路４１を加圧ポンプ３に連接して、且つ前記加圧ポンプ３と継ぎ手４の第一経路４１とを連接する管路の途中に圧力センサー６を設ける。また、第二経路４２を給水設備７（例えば逆浸透機、水電解機、製氷機やシャワー装置など）と連接して、第三経路４３を流量計５の一側に開設された貫通孔５１１と連接して、前記流量計５の他側に開設された貫通孔５１２を給水蛇口８と連接する。
【００１９】
その後、図１に示すように、栄養液（例えば鉱物質、セレン、亜鉛、ニッケル、銅、カルシウム、マグネシウムと鉄などの微量元素、ビタミンや海洋深層水など）を収容してある注入筒１を台座１１に開設された結合穴１２に組付ける。このとき、前記注入筒１に設けられたチップ１６と、前記台座１１に設けられたチップ検知ユニット１７と、が互いに接触して感応したと、圧力センサー２と、加圧ポンプ３と、流量計５と、演算ユニット９などの素子が起動される。
【００２０】
次に、作動している加圧ポンプ３が前記注入筒１内の栄養液を引き出して、栄養液が継ぎ手４の第一経路４１に設けられたノズル４１１を経由して継ぎ手４に注入される。これにより、注入された栄養液が継ぎ手４の第二経路４２内にある水と充分に混合するようになる。
【００２１】
図４を参照する。充分に混合された栄養液と水との混合液は、継ぎ手４の第三経路４３を経由して流量計５に流入する。このとき、流量計５内に設けられた圧力測定ユニット５２は、前記給水設備７からの水の圧力と、栄養液の注入圧力と、前記給水設備７からの水と栄養液とを混合した後の圧力と、を測定可能である。また、前記流量計５の内部に設けられた水質測定ユニット５３は、前記給水設備７からの水と栄養液とを混合した後の濃度を測定可能である。また、圧力測定ユニット５２と水質測定ユニット５３とによって測定したデータが演算ユニット９に接収されて判断して、加圧ポンプ３を調節することにより、栄養液の放出の流量を調節する。
【００２２】
また前記演算ユニット９が前記給水設備７からの水と栄養液とを混合した後の濃度が予定値よりも高い場合には、前記演算ユニット９が加圧ポンプ３を制御して栄養液の引出量を低減し、逆に、前記演算ユニット９が前記給水設備７からの水と栄養液とを混合した後の濃度が予定値よりも低い場合には、前記演算ユニット９が加圧ポンプ３を制御して栄養液の引出量を増加する。これにより、栄養液は何時も適正な濃度に保持されることができ、ひいては、本考案による飲用水を飲むと、健康を保持することができる。
そして本考案による水によってシャワーを浴びると、肌に必要な水分および栄養を補充することができる。
【００２３】
また、前記注入筒１の底側に設けられた台座１１に連結した圧力センサー２により、前記注入筒１の内部の栄養液の残量を測定可能である。
栄養液の残量がディスプレーに表示され、ユーザは前記ディスプレーを見ることによって栄養液の残量を把握可能である。前記注入筒１を適時に更新可能である。
また、前記台座１１に連接した注入筒１を前記台座１１から取り外すと、前記台座１１に設けられたチップ検知ユニット１７は前記注入筒１に設けられたチップ１６を検知できなくなる。このとき、圧力センサー２と、加圧ポンプ３と、流量計５と、演算ユニット９となどの素子に供給される電源が遮断される。
また、新品の注入筒１を再度に台座１１と結合すると、チップ検知ユニット１７が前記チップ１６を再び検知して、圧力センサー２と、加圧ポンプ３と、流量計５と、演算ユニット９となどの素子が再度に起動される。
そのため、注入筒１に設けられたチップ１６と、台座１１に設けられたチップ検知ユニット１７との設計により、注入筒１を快速に更新することができる。
【００２４】
上記の説明から明らかなように、本考案による飲用水を飲むと、健康を保持することができ、そして本考案による水によってシャワーを浴びると、肌に必要な水分および栄養を補充することができる。
【図面の簡単な説明】
【００２５】
【図１】本考案の分解斜視図である。
【図２】本考案の組合状態および使用方法を示す概略図である。
【図３】本考案の使用状態を示す概略図である。
【図４】本考案の一部の拡大斜視図である。
【符号の説明】
【００２６】
１        注入筒                    ２        圧力センサー
３        加圧ポンプ                ４        継ぎ手
５        流量計                    ６        圧力センサー
７        給水設備                  ８        給水蛇口
９        演算ユニット              １１      台座
１２      結合穴                    １３      貫通孔
１４      貫通孔                    １５      通気穴
１６      チップ                    １７      チップ検知ユニット
４１      第一経路                  ４２      第二経路
４３      第三経路                  ５１      流量計主体
５２      圧力測定ユニット          ５３      水質測定ユニット
４１１    ノズル                    ５１１    貫通孔
５１２    貫通孔
【図１】
0003137398.tif 000003
【図２】
0003137398.tif 000004
【図３】
0003137398.tif 000005
【図４】
0003137398.tif 000006